(57)【要約】【課題】悪戯による弄くりに対して強い抜差し型ロックハンドル装置を提供する。【解決手段】固定ハウジングの前記正面壁と前記主軸との間においてロータを前記固定ハウジングに収容し、前記ロータの後面側に軸方向に沿って設けた溝部を、前記主軸の前面側に軸方向に沿って設けた突起に嵌合させて、前記ロータを前記主軸に一体回転可能及び軸方向に移動可能に接続する。バネ部材によって、前記ロータを前記固定ハウジングの前記正面壁に向かって移動付勢する。前記ロータの前面側に一定角度αの角度間隔を置いて同一円周上に第一凹部及び第二凹部を設け、前記正面壁の背面側に一定の角度間隔αを置いて同一円周上に第一凸部及び第二凸部を設け、前記主軸が施錠位置にあるとき、前記第一凹部及び第二凹部に前記第一凸部及び第二凸部をそれぞれ嵌合させて、前記ロータと前記主軸の回転を制止する。【選択図】図４
2015140506.tif 000002
【特許請求の範囲】
【請求項１】
固定フレームの開口部を閉鎖する可動パネルに固定される固定ハウジングと、前記固定ハウジングの正面壁の鍵穴に抜差しされる鍵部を先端に有するハンドルと、前記固定ハウジングに回転可能に収容され、前記ハンドルの前記鍵部によって施錠位置と解錠位置の間で回転駆動される主軸と、前記主軸の後端部に固定され、前記固定フレーム側の受部と係合して前記可動パネルを前記固定フレームに係止する施錠部材とからなる抜差し型ロックハンドル装置において、
前記固定ハウジングの前記正面壁と前記主軸との間においてロータを前記固定ハウジングに収容し、前記ロータの後面側に軸方向に沿って設けた溝部又は突起を、前記主軸の前面側に軸方向に沿って設けた突起又は溝部に嵌合させて、前記ロータを前記主軸に一体回転可能及び軸方向に移動可能に接続し、前記主軸と前記ロータとの間に挿入したバネ部材によって、前記ロータを前記固定ハウジングの前記正面壁に向かって移動付勢し、前記ロータの前面側に一定角度αの角度間隔を置いて同一円周上に第一凹部及び第二凹部を設け、前記固定ハウジングの前記正面壁の背面側に一定の角度間隔αを置いて同一円周上に第一凸部及び第二凸部を設け、前記主軸が施錠位置にあるとき、前記第一凹部及び第二凹部に前記第一凸部及び第二凸部をそれぞれ嵌合させて、前記ロータと前記主軸の回転を制止することを特徴とする抜差し型ロックハンドル装置。
【請求項２】
請求項１の発明の抜差し型ロックハンドル装置において、前記ロータの前面側に前記第二凹部より一定角度αの角度間隔を置いて同一円周上に第三凹部を設け、前記主軸が解錠位置にあるとき、前記第二凹部及び第三凹部に前記第一凸部及び第二凸部をそれぞれ嵌合させて、前記ロータと前記主軸の回転を制止することを特徴とする抜差し型ロックハンドル装置。
【請求項３】
請求項１又は請求項２の発明の抜差し型ロックハンドル装置において、前記固定フランジの前記正面壁の後面に当接する前記ロータの前面側にインジケータ部を設け、前記ハンドルを回転操作して前記固定ハウジングに対する前記ロータ及び前記主軸の錠止を成立させたとき、前記ロータのインジケータ部が前記固定ハウジングの前記正面壁の確認窓の背後に位置するようにしたことを特徴とする抜差し型ロックハンドル装置。
【請求項４】
請求項３の発明の抜差し型ロックハンドル装置において、透明材質の保護キャップを前記固定ハウジングの前記正面壁に嵌合して前記鍵穴を前面側から閉鎖し、前記ロータによって前記固定ハウジングの前記鍵穴を後面側から閉鎖し、前記主軸と前記固定ハウジングとの間にシールリングを挿入したことを特徴とする抜差し型ロックハンドル装置。
【請求項５】
請求項１又は請求項２の発明の抜差し型ロックハンドル装置において、前記固定ハウジングの前記正面壁の前記鍵穴が、前記正面壁の中心部を貫通する円形中央部と、前記円形中央部の側方に一定角度αの角度間隔を置いて連設された第一直線部と第二直線部とから成る倒立L字状のものであり、前記ハンドルの鍵部は、前記鍵穴の前記円形中央部に差し込まれる円筒部と、前記鍵穴の前記第一直線部に差し込まれる第一板部と、前記鍵穴の前記第二直線部に差し込まれる第二板部とから成り、前記ロータの前面中心部に前記ハンドルの前記円筒部に嵌合する円柱部が軸方向に設けられ、前記円柱部の周辺部に前記ハンドルの前記第一板部と前記第二板部が挿入される扇形状の第一カットアウト部と、前記鍵部の前記第二板部が入り込み可能な第二カットアウト部が時計回り方向に沿って連続して設けられていることを特徴とする抜差し型ロックハンドル装置。
【請求項６】
請求項５の発明の抜差し型ロックハンドル装置において、前記ハンドルの前記鍵部の前記第一板部を前記第二板部よりも長く形成してあり、前記第一板部の外方先端部に追加板部を有しており、前記ロータの前記第一カットアウト部は、前記第一板部の追加板部の軸方向突出し量相当分だけ前記第二カットアウト部よりも深く形成されていることを特徴とする抜差し型ロックハンドル装置。
【請求項７】
請求項３又は請求項４の発明の抜差し型ロックハンドル装置において、前記固定ハウジングの前記正面壁の前記確認窓の内周壁面が、軸方向後端から軸方向前端に向う程外側に開いた傾斜面部または傾斜面に形成されていることを特徴とする抜差し型ロックハンドル装置。
【発明の詳細な説明】
【技術分野】
【０００１】
本発明は、施錠成立後においては鍵部を有するハンドルがハウジングから抜き取られる抜差し型ロックハンドル装置に関するものである。
【背景技術】
【０００２】
このようなロックハンドル装置は、特許第２７２４４５０号公報に示すようによく知られているが、用途によってはハンドルが抜き取られるだけでは不十分な場合がある。
例えば駅ホームの転落防止柵設備でホーム縁部に立設した固定フレームに車両への乗降扉の制御機器を収容し、この機器の点検修理用開口部を可動パネルによって閉鎖している。この可動パネルは前記開口部を閉鎖した位置において、抜差し型ロックハンドル装置によって固定フレームに対して錠止されているが、常時一般公衆の目に曝されている抜差し型ロックハンドル装置は、悪戯による弄くりを受け易い。
【０００３】
また、このような抜差し型ロックハンドル装置では、施錠成立後にハンドルがハウジングから抜き取られてしまうので、ハンドル非抜き取り型ロックハンドル装置のようにハンドルの回転位置を手掛かりとして、施錠の成否を確認することができない。
【先行技術文献】
【特許文献】
【０００４】
【特許文献１】特許第２７２４４５０号公報
【発明の概要】
【発明が解決しようとする課題】
【０００５】
解決しようとする第１の問題点は、どうすれば悪戯による弄くりに対して強くすることができるかの点である。
【０００６】
解決しようとする第２の問題点は、解錠成立後にどうすれば主軸の無用の回転を制止して、施錠部材を解錠位置に保持できるかどうかの点である。
【０００７】
解決しようとする第３の問題点は、施錠成立後にハンドルを抜き取ったとき、施錠の成否の確認をどうすれば視認性高く行えるかの点である。
【０００８】
解決しようとする第４の問題点は、施錠状態における固定フレーム内部への水の侵入をどうすれば防げるかの点である。
【０００９】
解決しようとする第５の問題点は、悪戯による弄くりに対する防護性能をどうすれば高められるかの点である。
【課題を解決するための手段】
【００１０】
請求項１の発明の特徴とするところは、固定フレームの開口部を閉鎖する可動パネルに固定される固定ハウジングと、前記固定ハウジングの正面壁の鍵穴に抜差しされる鍵部を先端に有するハンドルと、前記固定ハウジングに回転可能に収容され、前記ハンドルの前記鍵部によって施錠位置と解錠位置の間で回転駆動される主軸と、前記主軸の後端部に固定され、前記固定フレーム側の受部と係合して前記可動パネルを前記固定フレームに係止する施錠部材とからなる抜差し型ロックハンドル装置において、
前記固定ハウジングの前記正面壁と前記主錠軸との間においてロータを前記固定ハウジングに収容し、前記ロータの後面側に軸方向に沿って設けた溝部又は突起を、前記主軸の前面側に軸方向に沿って設けた突起又は溝部に嵌合させて、前記ロータを前記主軸に一体回転可能及び軸方向に移動可能に接続し、前記主軸と前記ロータとの間に挿入したバネ部材によって、前記ロータを前記固定ハウジングの前記正面壁に向かって移動付勢し、前記ロータの前面側に一定角度αの角度間隔を置いて同一円周上に第一凹部及び第二凹部を設け、前記固定ハウジングの前記正面壁の背面側に一定の角度間隔αを置いて同一円周上に第一凸部及び第二凸部を設け、前記主軸が施錠位置にあるとき、前記第一凹部及び第二凹部に前記第一凸部及び第二凸部をそれぞれ嵌合させて、前記ロータと前記主軸の回転を制止することである。
【００１１】
請求項２の発明の特徴とするところは、請求項１の発明の抜差し型ロックハンドル装置において、前記ロータの前面側に前記第二凹部より一定角度αの角度間隔を置いて同一円周上に第三凹部を設け、前記主軸が解錠位置にあるとき、前記第二凹部及び第三凹部に前記第一凸部及び第二凸部をそれぞれ嵌合させて、前記ロータと前記主軸の回転を制止することである。
【００１２】
請求項３の発明の特徴とするところは、請求項１又は請求項２の発明の抜差し型ロックハンドル装置において、前記固定フランジの前記正面壁の後面に当接する前記ロータの前面側にインジケータ部を設け、前記ハンドルを回転操作して前記固定ハウジングに対する前記ロータ及び前記主軸の錠止を成立させたとき、前記ロータのインジケータ部が前記固定ハウジングの前記正面壁の確認窓の背後に位置するようにしたことである。
【００１３】
請求項４の発明の特徴とするところは、請求項３の発明の抜差し型ロックハンドル装置において、透明材質の保護キャップを前記固定ハウジングの前記正面壁に嵌合して前記鍵穴を前面側から閉鎖し、前記ロータによって前記固定ハウジングの前記鍵穴を後面側から閉鎖し、前記主軸と前記固定ハウジングとの間にシールリングを挿入したことである。
【００１４】
請求項５の発明の特徴とするところは、請求項１又は請求項２の発明の抜差し型ロックハンドル装置において、前記固定ハウジングの前記正面壁の前記鍵穴が、前記正面壁の中心部を貫通する円形中央部と、前記円形中央部の側方に一定角度αの角度間隔を置いて連設された第一直線部と第二直線部とから成る倒立L字状のものであり、前記ハンドルの鍵部は、前記鍵穴の前記円形中央部に差し込まれる円筒部と、前記鍵穴の前記第一直線部に差し込まれる第一板部と、前記鍵穴の前記第二直線部に差し込まれる第二板部とから成り、前記ロータの前面中心部に前記ハンドルの前記円筒部に嵌合する円柱部が軸方向に設けられ、前記円柱部の周辺部に前記ハンドルの前記第一板部と前記第二板部が挿入される扇形状の第一カットアウト部と、前記ンドル鍵の前記第二板部が入り込み可能な第二カットアウト部が時計回り方向に沿って連続して設けられていることである。
【００１５】
請求項６の発明の特徴とするところは、請求項５の発明の抜差し型ロックハンドル装置において、前記ハンドルの前記鍵部の前記第一板部を前記第二板部よりも長く形成してあり、前記第一板部の外方先端部に追加板部を有しており、前記ロータの前記第一カットアウト部は、前記第一板部の追加板部の軸方向突出し量相当分だけ前記第二カットアウト部よりも深く形成されていることである。
【００１６】
請求項７の発明の特徴とするところは、請求項３又は請求項４の発明の抜差し型ロックハンドル装置において、前記固定ハウジングの前記正面壁の前記確認窓の内周壁面が、軸方向後端から軸方向前端に向う程外側に開いた傾斜面部または傾斜面に形成されていることである。
【発明の効果】
【００１７】
請求項１の発明では、前記固定ハウジングの前記正面壁と前記主軸との間において前記固定ハウジングにロータを収容し、前記ロータの後面側に軸方向に沿って溝部又は突起を設け、前記主軸の前面側に軸方向に沿って突起又は溝部を設け、前記ロータの前記溝部又は突起に前記主軸の前記突起又は溝部に嵌合させて、前記ロータを前記主軸に一体回転可能及び軸方向に移動可能に接続し、前記主軸と前記ロータとの間に挿入したバネ部材によって前記ロータを前記固定ハウジングの前記正面壁に向かって移動付勢してあると共に、前記ロータの前面側に一定角度αの角度間隔を置いて同一円周上に第一凹部及び第二凹部を設け、前記固定ハウジングの前記正面壁の背面側に一定の角度間隔αを置いて同一円周上に第一凸部及び第二凸部を設け、前記主軸が施錠位置にあるとき、前記第一凹部及び第二凹部に前記第一凸部及び第二凸部をそれぞれ嵌合させて、前記ロータと前記主軸の回転を制止するようにしたので、誰にでも容易に入手できるマイナスドライバなどの器具によって前記ロータを回そうとしても、その努力は無に帰する。すなわち出来心程度の悪戯による弄くりに対しては必要十分な防護力を発揮する。
【００１８】
請求項２の発明では、前記ロータの前面側に前記第二凹部より一定角度αの角度間隔を置いて同一円周上に第三凹部を設け、前記主軸が解錠位置にあるとき、前記第二凹部及び第三凹部に前記第一凸部及び第二凸部をそれぞれ嵌合させて、前記ロータと前記主軸の回転を制止するようにしたので、前記ロータを解錠位置に回した後、前記ハンドルによる前記ロータの押し込みを緩めることによって、前記主軸後端部の前記施錠部材を解錠位置に保持することができる。前記施錠部材が盲動して前記固定フレーム側の受金部に再係合する恐れなしに前記可動プレートを開放位置に置くことができ、作業性が良い。
【００１９】
請求項３の発明では、前記固定フランジの前記正面壁の後面に当接する前記ロータの前面側にインジケータ部を設け、前記ハンドルを回転操作して前記固定ハウジングに対する前記ロータ及び前記主軸の錠止を成立させたとき、前記ロータの前記インジケータ部が前記固定ハウジングの前記正面壁の確認窓の背後に位置するようにしたので、施錠成立後に前記ハンドルを抜き取ったとき、施錠の成否の確認が確認窓を通して視認性高く的確に行える。
【００２０】
請求項４の発明では、透明材質の保護キャップを前記固定ハウジングの前記正面壁に嵌合して前記鍵穴を前面側から閉鎖し、前記ロータによって前記固定ハウジングの前記鍵穴を後面側から閉鎖し、前記主軸と前記固定ハウジングとの間にシールリングを挿入したので、抜差し型ロックハンドル装置を通して水が前記固定フレーム内部に侵入することがなく、収容機器の防水対策上有効である。
【００２１】
請求項５の発明では、前記固定ハウジングの前記正面壁の前記鍵穴が、前記正面壁の中心部を貫通する円形中央部と、前記円形中央部の側方に一定角度αの角度間隔を置いて連設された第一直線部と第二直線部とから成る倒立L字状のものであり、前記ハンドルの鍵部は、前記鍵穴の前記円形中央部に差し込まれる円筒部と、前記鍵穴の前記第一直線部に差し込まれる第一板部と、前記鍵穴の前記第二直線部に差し込まれる第二板部とから成り、前記ロータの前面中心部に前記ハンドルの前記円筒部に嵌合する円柱部が軸方向に設けられ、前記円柱部の周辺部に前記ハンドルの前記第一板部と前記第二板部が挿入される扇形状の第一カットアウト部と、前記鍵部の前記第二板部が入り込み可能な第二カットアウト部が時計回り方向に沿って連続して設けられている。正規の前記鍵部付きハンドルを有しない者が、前記鍵穴を通過して前記ロータにアクセスするには、入手が容易な通常のマイナスドライバでは駄目であり、前記特有の鍵穴形状及び前記特有のロータ形状に対応した器材をあらかじめ準備しなければならないが、現実問題としてこの作成入手は困難である。そのため、悪戯による弄くりに対してより強いものが得られる。
【００２２】
請求項６の発明では、前記ハンドルの前記鍵部の前記第一板部を前記第二板部よりも長く形成してあり、前記第一板部の外方先端部に追加板部を有しており、前記ロータの前記第一カットアウト部は、前記第一板部の追加板部の軸方向突出し量相当分だけ前記第二カットアウト部よりも深く形成されているので、悪戯による弄くりに対して更に強いものが得られる。
【００２３】
請求項７の発明では、前記固定ハウジングの前記正面壁の前記確認窓の内周壁面が、軸方向後端から軸方向前端に向う程外側に開いた傾斜面部または傾斜面に形成されているので、操作者や管理者の視野が拡大されることになり、施錠の成否の確認が更に視認性高く確実に行えることになる。
【図面の簡単な説明】
【００２４】
【図１】図１は請求項１から請求項７の発明の実施例に係る抜差し型ロックハンドル装置の正面図であり、ハンドルが固定ハウジングから抜き取られた施錠成立状態を示している。
【図２】図２は図１のロックハンドル装置の右側面図である。
【図３】図３は図１のロックハンドル装置の背面図である。
【図４】図４は図１のＡ−Ａ線断面図である。
【図５】図５は図１のロックハンドル装置の固定ハウジングを装着する取付穴を示した固定フレームの正面である。
【図６】図６は図１のロックハンドル装置に用いた固定ハウジングの正面図である。
【図７】図７は図６の固定ハウジングの右側面図である。
【図８】図８は図６の固定ハウジングの背面図である。
【図９】図９は図６のＢ−Ｂ線断面図である。
【図１０】図１０は図６のＣ−Ｃ線断面図である。
【図１１】図１１は図９のＤ−Ｄ線断面図である。
【図１２】図１２は図1のロックハンドル装置に用いたロータの正面図である。
【図１３】図１３は図１２のロータの左側面図である。
【図１４】図１４は図１２のロータの背面図である。
【図１５】図１５は図１２のロータの平面図である。
【図１６】図１６は図１２のロータの底面図である。
【図１７】図１７は図１２のＥ−Ｅ線断面図である。
【図１８】図１８は図１５のＦ−Ｆ線断面図である。
【図１９】図１９は図１のロックハンドル装置に用いた主軸の正面図である。
【図２０】図２０は図１９の主軸の右側面図である。
【図２１】図２１は図１９の主軸の背面図である。
【図２２】図２２は図１９の主軸の平面図である。
【図２３】図２３は図１９のＧ−Ｇ線断面図である。
【図２４】図２４は図１のロックハンドル装置に用いた保護キャップの正面図である。
【図２５】図２５は図２４の保護キャップの背面図である。
【図２６】図２６は図２４のＨ−Ｈ線断面図である。
【図２７】図２７は図２４のＩ−Ｉ線断面図である。
【図２８】図２８は図１のロックハンドル装置に用いたパッキングプレートの正面図である。
【図２９】図２９は図２８のＪ−Ｊ線断面図である。
【図３０】図３０は図１のロックハンドル装置に用いた保護シートの正面図である。
【図３１】図３１は図１のロックハンドル装置に用いたハンドルの斜視図である。
【図３２】図３２は図３１のハンドルの左側面図である。
【図３３】図３３は図３１のハンドルの底面図である。
【図３４】図３４は図３１のハンドルの鍵部の正面図である。
【図３５】図３５は図１のロックハンドル装置に用いた回転角度規制板の背面図である。
【発明を実施するための形態】
【００２５】
主軸と一体回転し、かつ軸方向に移動可能なロータを固定ハウジングに収容し、施錠状態においては、前記ロータを前記固定ハウジングの正面壁の一部に係合させて、前記ロータの回転を制止する。解錠するまたには、固定ハウジングの前記正面壁に設けた鍵穴からハンドル先端の鍵部を挿入、前記鍵部で前記ロータを前記主軸の方向に押して、前記正面壁と前記ロータとの係合を解く。かくして、前記ハンドルからの回転力が前記ロータを介して前記主軸に伝えられ、前記主軸に接続されている施錠部材を解錠位置に移動させる。解錠に至るには前記ロータの押し込みと前記ロータの回転という２動作を必要とするため、悪戯による弄くりに対して強い。
【実施例】
【００２６】
図面に示した実施例では、抜き差し型ロックハンドル装置は、固定ハウジング１０と、固定ハウジング１０に収容されるロータ２０及び主軸３０と、固定ハウジング１０の正面壁１１にある鍵穴４０と、ハンドル５０の先端にある鍵部６０とを主要な構成とする。
円筒状の固定ハウジング１０の外周面には螺子山１２が形成され、固定ハウジング１０の横断面形状は外周面両側の平行直線面部１３によって、小判形状になっている。固定フレーム７０の開口部７１を開閉する可動パネル７２には、固定ハウジング１０が正面側から回転不能に挿入される小判形状の取付穴７３が設けられている。固定ハウジング１０は螺子山１２に嵌めた六角ナット７４によって、パッキングプレート８０及びバネリング７５を介して可動パネル７２に締付け固着される。
【００２７】
このとき、例えばエチレンプロピレンゴム製のパッキングプレート８０は、可動パネル７２の前面７６と固定ハウジング１０の前端鍔部１４の後面１５との間で適度に圧縮され、取付穴７３を経由した水の侵入を防止している。パッキングプレート８０には、小判形状の中央貫通穴８１を包囲して、前後面に防水性を高めるための環状リブ８２，８３を設けてある。パッキングプレート８０は締付け時にその略全体が保護キャップ９０の短円筒状スカート部９１内に押し込まれ、保護キャップ９０と可動パネル７２との間に、工具等が差し込まれる危険性のある引っ込み空間を作ることがない。静電気対策のためにポリカーボネート製とした保護キャップ９０は、固定ハウジング１０の正面壁１１及び前端鍔部１４の外周面部の全体に被せられる。パッキングプレート８０と可動パネル７２との間には、保護シート９９が挟み込まれてい
る。
【００２８】
透明材質で成形された保護キャップ９０には、短円筒状スカート部９１の内周面の中間位置に上方１個の係止突起９２aと右方２個の係止突起９２b，９２c、下方２個の係止突起９２d，９２eと左方２個の係止突起９２f，９２gが設けられている。下方２個の係止突起９２d，９２eの間には水抜き用切欠９３が設けられている。固定ハウジング１０の前端鍔部１４の後面と外周面の交差角部には、上下左右四個の係止溝１6６a,１６b，１６c, １６dが設けられており、下側の係止溝１５ｃの中央部には水抜き溝１７が設けられている。
保護キャップ９０は、上方１個の係止突起９２aを上方の係止溝１６aに弾性係合させ、右方２個の係止突起９２b，９２cを右方の係止溝１６ｂに弾性係合させ、下方２個の係止突起９２d,９２eを下方の係止溝１６cに弾性係合させ、左方２個の係止突起９２f，９２gを左方の係止溝１６dに弾性係合させることによって、固定ハウジング１０の前端鍔部１４に固定される。これら両者間の弾性係合によって、保護キャップ７０は固定ハウジング１０に対する回転を阻止され、保護キャップ９０の受穴９４と固定ハウジング１０の鍵穴４０は常に互いに整合した位置に保持されている。受穴９４は保護キャップ９０の前面壁９３の中央部に貫通して設けられ、鍵穴４０は固定ハウジング１０の正面壁１１の中央部に貫通して設けられている。パッキングプレート８０の前面側の環状リブ８２は、前記７個の係止突起９２a,９２b,９２c,９２d,９２e,９２gの後面部を押しており、保護キャップ９０と固定ハウジング１０との弾性係合を強化している。
【００２９】
ロータ２０は円筒形であり、固定ハウジング１０の正面壁１１と主軸３０との間において固定ハウジング１０に収容される。ロータ２０の後面２７には、一定の角度間隔αを置いて同一円周状に３個の溝部２１a,２１b，２１cが設けられ、主軸３０の前面３７には、一定の角度間隔αを置いて同一円周状に３個の突起３１a, ３１b，３１cが設けられている。これらの溝部２１a, ２１b, ２１cと突起３１a, ３１b, ３１c、は軸方向に形成されており、両者が嵌合することによって、ロータ２０は主軸３０に対して一体回転可能及び軸方向に移動可能に接続される。この溝部と突起は設ける相手を反対にしてもよい。主軸３０とロータ２０との間には、圧縮コイルバネよりなるバネ部材１００が挿入されており、ロータ２０は固定ハウジング１０の正面壁１１に向かって移動付勢されている。
【００３０】
ロータ２０の前面側には、一定角度αの角度間隔を置いて同一円周上に第一凹部２２a及び第二凹部２２bを設けてあり、固定ハウジング１０の正面壁１１の背面側には、一定の角度間隔αを置いて同一円周上に第一凸部１８a及び第二凸部１８bを設けてあり、主軸３０が施錠位置にあるとき、第一凹部２２a及び第二凹部２２bが第一凸部１８a及び第二凸部１８bにそれぞれ嵌合することによって、ロータ２０及び主軸３０の回転を制止する。
また、固定フランジ１０の正面壁１１の後面に当接するロータ２０の前面には、第一凹部２２aと第二凹部２２bの間に１個のインジケータ部２３を設けてあり、ハンドル５０を一定角度αだけ回転操作して固定ハウジング１０に対するロータ２０及び主軸３０の錠止を成立させたとき、ロータ２０のインジケータ部２３が固定ハウジング１０の正面壁１１の確認窓１９の背後に位置する。
【００３１】
防水性を高めるために、保護キャップ９０は固定ハウジング１０の正面壁１１に嵌合して鍵穴４０を前面側から閉鎖し、ロータ２０は固定ハウジング１０の鍵穴４０を後面側から閉鎖しており、主軸３０と固定ハウジング１０の内面との間にはシールリング１１０を挿入してある。シールリング１１０はＯ−リングであり、主軸３０の外周溝３２に収容されている。
【００３２】
固定ハウジング１０の鍵穴４０は、正面壁１１の中心部を貫通する円形中央部４１と、円形中央部４１の側方に一定角度αの角度間隔を置いて連設された第一直線部４２と第二直線部４３とから成る倒立L字状のものである。
ハンドル５０の先端にある鍵部６０は、鍵穴４０の円形中央部４１に差し込まれる円筒部６１と、鍵穴４０の第一直線部４２に差し込まれる第一板部６２と、鍵穴４０の第二直線部４３に差し込まれる第二板部６３とから成る。ハンドル５０の他端部には円盤状の指当て部５１が設けられている。
保護キャップ９０の受穴９５は、前面壁９４の中心部を貫通する円形中央部９６と、円形中央部９６の側方に一定角度αの角度間隔を置いて連設された第一直線部９７と第二直線部９８とから成る倒立L字状のものである。
【００３３】
ロータ２０の前面中心部には、鍵部６０の円筒部６１に嵌合する円柱部２４が軸方向に設けられ、円柱部２４の周辺部には、鍵部６０の第一板部６２と第二板部６３が同時に挿入される大きさの扇形状の第一カットアウト部２５と、鍵部６０の第二板部６３だけが入り込み可能な第二カットアウト部２６が、時計回り方向に沿って連続して設けられている。
ハンドル５０の鍵部６０の第一板部６２は、第二板部６３よりも半径方向に突出長さを長く形成されており、第一板部６２は外方先端部に追加板部６４を有している。第一カットアウト部２５は、追加板部６４の軸方向突出し量相当分だけ第二カットアウト部２６よりも深く形成されている。
ロータ２０の後面２７の中心部には、バネ部材１００の端部挿入用凹部２８が設けられている。主軸３０の前面３７の中心部には、バネ部材１００の端部挿入用凹部３０aが設けられている。
【００３４】
固定ハウジング１０の正面壁１１にある確認窓１９の内周壁面１９aは、軸方向後端から軸方向前端に向う程外側に開いた傾斜面部または傾斜面に形成されている。鍵穴４０の円形中央部４１と第一直線部４２と第二直線部４３の内壁面も同様な傾斜面部または傾斜面に形成されている。
保護キャップ９０の受穴９５の円形中央部９６と第一直線部９７と第二直線部９８の内壁面も同様な傾斜面部または傾斜面に形成されている。保護キャップ９０の受穴９５は、固定ハウジング１０の鍵穴４０より一回り大きくなっており、受穴９５の内壁面の延長上に鍵穴４０の内壁面が来るようになっている。そのため、鍵穴４０とこれに続くロータ２０の内側が見やすく、ロータ２０への鍵部６０の差し込みが容易になっている。
本発明の構成作用の説明において、一定角度αなる記載が用いられているが、図示の実施例では、一定角度αとは９０度のことである。この角度は適宜に増減することができる。
【００３５】
固定ハウジング１０の後端面には、常法に従って回転止め用突起１０aが設けられている。主軸３０の後端角軸部３３には回転角度規制板３４が嵌められており、回転角度規制板３４の角部３４a, ３４bが回転止め用突起１０aの各端面に打ち当たることによって、主軸３０の回転角度は施錠方向及び開錠方向ともに一定角度αに規制されている。後端角軸部３３には常法に従って板状の施錠部材３５が嵌められ、ビス３６によって主軸３０に締付け固着されている。
【００３６】
ロータ２０の前面にはインジケータ部２３が設けられる。図示の実施例ではインジケータ部２３は、ロータ２０の前面凹部内にロータ２０とは違う色のシールを貼り付けたものである。インジケータ部２３は、、ロータの前面凹部内に黒色や赤色、緑色等の適当な塗料を面一に充填することによって形成することもできる。
【００３７】
施錠状態では、固定ハウジング１０の正面壁１１の第一凸部１８a及び第二凸部１８bにロータ２０の第一凹部２２a及び第二凹部２２bが係合しているため、ロータ２０は固定ハウジング１０に対して回転不能である。第一凹部２２aと第二凹部２２bの間においてロータ２０の前面に設けられたインジケータ部２３は、固定ハウジング１０の正面壁１１の確認窓１９の背後に位置している。透明な保護キャップ９０を透してこれを視認することによって、操作者ないし管理者は、主軸３０に接続された施錠部材３５が固定フレーム側の受金部７７と係合し、固定ハウジング１０にヒンジなどで装着された可動パネル７２が、閉鎖位置において固定フレーム７０に開閉不能に施錠されていることを視認できる。
【００３８】
保護キャップ９０の受穴９５と固定ハウジング１０の鍵穴４０を通してハンドル５０の鍵部６０を挿入したとき、鍵部６０の第一板部６２と第二板部６３がロータ２０の第一カットアウト部２５に一緒に係合する。ハンドル５０の鍵部６０を押し込み、追加板部６４でロータ２０の第一カットアウト部２５の内底面を押圧すると、ロータ２０がバネ部材１００の付勢に抗して主軸３０に接近するように軸方向に移動する。ロータ２０の後面２７が主軸３０の前面３７に当接することによって、ロータ２０は移動停止する。尚、主軸３０は、固定ハウジング１０の後端部内周面の受溝３８に挿入されている止め輪３９によって、後退移動を阻止される一方、固定ハウジング１０の後端面に当接する回転角度規制板３４によって前進移動を阻止されている。
このように限定されたロータ２０の後退移動によって、固定ハウジング１０の正面壁１１の第一凸部１８a及び第二凸部１８bとロータ２０の第一凹部２２a及び第二凹部２２bとの係合が解除されるため、ロータ２０及び主軸３０が固定ハウジング１０に対して回転可能になる。このとき、鍵部６０の第二板部６３はロータ２０の第二カットアウト部２６の端面開口に対面し、鍵部６０の第一板部６２及び追加板部６４はロータ２０の第一カットアウト部２５の端面壁に対面している。
【００３９】
ハンドル５０を反時計回り方向に回転させると、鍵部６０の第一板部６２及び追加板部６４がロータ２０の第一カットアウト部２５の端面壁を押圧するため、ロータ２０が同方向に回転させられる。このハンドル５０の回転操作に伴い、鍵部６０の第二板部６３がロータ２０の第二カットアウト部２６に入り込む。一定角度αまでハンドル５０が回転すると、鍵部６０の第二板部６２がロータ２０の第二カットアウト部２６内を移動し、最終的に第二板部６２が第二カットアウト部２６の端面壁に当接する。この段階では、ロータ２０のインジケータ部２３は固定ハウジング１０の正面壁１１の背後に隠れる。ハンドル５０の押し込みを止めると、ロータ２０がバネ部材１００の付勢によって正面壁１１に向かって前進移動し、ロータ２０の第二凹部２２b及び第三凹部２２cが正面壁１１の第一凸部１８a及び第二凸部１８bに係合する。このため、ロータ２０の回転は再び制止される。
【００４０】
ロータ２０及び主軸３０がこの位置にあるときには、施錠部材３５は固定フレーム７０側の受金部７７から離脱しており、固定ハウジング１０を取り付けた可動パネル７２は開放位置に移動可能な状態におかれる。
可動パネル７２の開放操作に当たっては、ロータ２０及び主軸３０の回転が制止されているため、施錠部材３５が盲動して固定フレーム側の受金部７７と再係合するという面倒な事態が起きることがない。
また、鍵部６０の第一板部６２と第二板部６２が鍵穴４０の周縁部において正面壁１１の背面に当接するため、可動パネル７２はハンドル５０を引くことによって開放操作される。
【００４１】
固定フレーム７０内の装備機器に対する点検修理などの所要の作業の終了後、可動パネル７２は閉鎖位置に戻される。そして、ロータ２０の第二凹部２２ｂ及び第三凹部２２cが正面壁１１の第一凸部１８a及び第二凸部１８bから離脱するようにロータ２０を主軸３に向ってハンドル５０で押した後、ハンドル５０を時計回り方向に一定角度αだけ回す。そうすると、鍵部６０の第二板部６３がロータ２０の第二カットアウト部２６の端面壁を押圧するため、ロータ２０及び主軸３０が同方向に回転する。この回転によって鍵部６０の第一板部６２及び追加板部６４がロータ２０の第一カットアウト部２５内を回転移動する。ハンドル５０を一定角度αだけ回転すると、ロータ２０及び主軸３０が元の位置に復帰する。この段階で、ハンドル５０をロータ２０から抜き出すと、正面壁１１の第一凸部１８a及び第二凸部１８bとロータ２０の第一凹部２２a及び第二凹部２２bとの係合が成立し、ロータ２０及び主軸３０は施錠位置に制止される。この施錠位置では、ロータ２０のインジケータ部２３は固定ハウジング１０の正面壁１１の確認窓１９に重なった位置にある。
【００４２】
このように実施例の抜差し型ロックハンドル装置では、ロータ２０を押し込まないとロータ２０が回転し得ないクラッチ機構を設けているので、不正規解錠に対して強い。また、一定角度αの角度間隔で設けられた第一板部６２と第二板部６３及び追加板部６４を有する鍵部６０がなければロータ２０を押し回すことができない。マイナスドライバなどの入手容易な器具によっては簡単にロータ２０を押し回せないので、出来心や悪戯による不正規解錠に対して強い。
仮に解錠できても第二板部６３がなければ、ロータ２０を施錠可能位置に戻せないので、可動パネル７２が開放されたままに放置されることになる。このように不正規解錠の痕跡が明確に残されるため、それを知った固定フレーム７０の管理者は、収納機器の安全点検などを直ちに実行することができる。
【符号の説明】
【００４３】
１０  固定ハウジング
２０  ロータ
３０  主軸
４０  鍵穴
５０  ハンドル
６０  鍵部
７０  固定フレーム
８０  パッキングプレート
９０  保護キャップ
１００  ロータ付勢用バネ部材
１１０  シールリング
１０a  固定ハウジングの回転止め用突起
１１  固定ハウジングの正面壁
１２  固定ハウジングの螺子山
１３  固定ハウジングの平行直線面部
１４  固定ハウジングの前端鍔部
１５  前端鍔部の後面
１６a  前端鍔部の係止溝
１６b  前端鍔部の係止溝
１６c  前端鍔部の係止溝
１６d  前端鍔部の係止溝
１７  前端鍔部の水抜き溝
１８a  正面壁の第１凸部
１８b  正面壁の第２凸部
１９  固定ハウジングの確認窓
１９a  確認窓の内壁面
２１a  ロータの溝部
２１b  ロータの溝部
２１c  ロータの溝部
２２a  ロータの第１凹部
２２b  ロータの第２凹部
２２c  ロータの第３凹部
２３  ロータのインジケータ部
２４  ロータの円柱部
２５  ロータの第一カットアウト部
２６  ロータの第二カットアウト部
２７  ロータの後面
２８  バネ部材の端部挿入用凹部
３０a  バネ部材の端部挿入用凹部
３１a  主軸の突起
３１b  主軸の突起
３１c  主軸の突起
３２  主軸の外周溝
３３  主軸の後端角軸部
３４  回転角度規制板
３４a  回転角度規制板の角部
３４b  回転角度規制板の角部
３５  施錠部材
３６  ビス
３７  主軸の前面
３８  止め輪挿入用の受溝
３９  止め輪
４１  鍵穴の円形中央部
４２  鍵穴の第一直線部
４３  鍵穴の第二直線部
５１  ハンドルの指当て部
６１  鍵部の円筒部
６２  鍵部の第一板部
６３  鍵部の第二板部
６４  第二板部の追加板部
７１  固定フレームの開口部
７２  固定フレームの可動パネル
７３  可動パネルの取付穴
７４  六角ナット
７５  バネリング
７６  可動パネルの前面
７７  固定フレームの受金部
８１  パッキングプレートの中央貫通穴
８２  パッキングプレート前面の環状リブ
８３  パッキングプレート後面の環状リブ
９１  保護キャップの短円筒状スカート部
９２a  保護キャップの係止突起
９２b  保護キャップの係止突起
９２c  保護キャップの係止突起
９２d  保護キャップの係止突起
９２e  保護キャップの係止突起
９２f  保護キャップの係止突起
９２g  保護キャップの係止突起
９３  保護キャップの水抜き用切欠
９４  保護キャップの前面壁
９５  保護キャップの受穴
９６  受穴の円形中央部
９７  受穴の第一直線部
９８  受穴の第二直線部
９９  保護シート
【図１】
2015140506.tif 000003
【図２】
2015140506.tif 000004
【図３】
2015140506.tif 000005
【図４】
2015140506.tif 000006
【図５】
2015140506.tif 000007
【図６】
2015140506.tif 000008
【図７】
2015140506.tif 000009
【図８】
2015140506.tif 000010
【図９】
2015140506.tif 000011
【図１０】
2015140506.tif 000012
【図１１】
2015140506.tif 000013
【図１２】
2015140506.tif 000014
【図１３】
2015140506.tif 000015
【図１４】
2015140506.tif 000016
【図１５】
2015140506.tif 000017
【図１６】
2015140506.tif 000018
【図１７】
2015140506.tif 000019
【図１８】
2015140506.tif 000020
【図１９】
2015140506.tif 000021
【図２０】
2015140506.tif 000022
【図２１】
2015140506.tif 000023
【図２２】
2015140506.tif 000024
【図２３】
2015140506.tif 000025
【図２４】
2015140506.tif 000026
【図２５】
2015140506.tif 000027
【図２６】
2015140506.tif 000028
【図２７】
2015140506.tif 000029
【図２８】
2015140506.tif 000030
【図２９】
2015140506.tif 000031
【図３０】
2015140506.tif 000032
【図３１】
2015140506.tif 000033
【図３２】
2015140506.tif 000034
【図３３】
2015140506.tif 000035
【図３４】
2015140506.tif 000036
【図３５】
2015140506.tif 000037